(57)【特許請求の範囲】
【請求項１】
配線・配管材を吊り下げるための吊り具であって、
長手方向に並ぶ複数の貫通孔を有して、前記配線・配管材を抱えるようにして吊り下げる帯体と、
前記帯体の、前記配線・配管材に回されて上方に延びる各側を、互いに止める止め具とを、備え、
前記止め具は、前記帯体の一方の側が止められる第１止め部と、前記帯体の他方の側が止められる第２止め部とを備え、
前記第１止め部と前記第２止め部との少なくとも一方は、前記帯体が掛け止められるフック部からなり、
前記フック部は、前記帯体の長手方向に延びて、その自由端から前記複数の貫通孔のいずれかの貫通孔である第１貫通孔に挿入可能に構成され、前記フック部の基端部が、そのフック部に対する前記帯体の、前記自由端側から前記基端部側に向かう方向の相対移動を規制するように、前記第１貫通孔の周縁に係合可能となり、
前記フック部の自由端側には、そのフック部に対する前記帯体の、前記基端部側から前記自由端側に向かう方向の相対移動を規制するように、前記第１貫通孔とは別の貫通孔である第２貫通孔に入り込んでその第２貫通孔の周縁に係合可能な、または、前記帯体の端部に係合可能な、突状係合部が設けられている、配線・配管材用吊り具。
【請求項２】
前記止め具は、前記第１止め部と第２止め部とが設けられるベース部を備え、
前記突状係合部は、前記フック部から前記ベース部側に突出する、請求項１に記載の配線・配管材用吊り具。
【請求項３】
前記第１止め部と前記第２止め部とが、それぞれ、前記フック部からなり、それらフック部は、前記ベース部を挟むように設けられる、請求項２に記載の配線・配管材用吊り具。
【請求項４】
二つの前記フック部は、その自由端が同一方向を向くように設けられる、請求項３に記載の配線・配管材用吊り具。
【請求項５】
前記第１止め部と前記第２止め部は、共通する一つの前記フック部からなり、前記帯体の一方の側と他方の側とは、重ねられて、共通する一つの前記フック部に掛け止められる、請求項２に記載の配線・配管材用吊り具。
【請求項６】
前記ベース部には、前記フック部における基端部と前記突状係合部との間の位置に対向して、前記帯体を前記ベース部から離して前記突状係合部側へと押しやる突部が設けられる、請求項２ないし５のいずれか１項に記載の配線・配管材用吊り具。
【請求項７】
前記フック部の基端部には、前記第１貫通孔における、前記帯体の幅方向側の両縁部に掛かる、掛り段部が設けられる、請求項１ないし６のいずれか１項に記載の配線・配管材用吊り具。
【請求項８】
長手方向に並ぶ複数の貫通孔を有して、配線・配管材を抱えるようにして吊り下げる帯体の、前記配線・配管材に回されて上方に延びる各側を、互いに止める、配線・配管材を吊り下げるための吊り具の帯体の止め具であって、
前記帯体の一方の側が止められる第１止め部と、前記帯体の他方の側が止められる第２止め部とを備え、
前記第１止め部と前記第２止め部との少なくとも一方は、前記帯体が掛け止められるフック部からなり、
前記フック部は、前記帯体の長手方向に延びて、その自由端から前記複数の貫通孔のいずれかの貫通孔である第１貫通孔に挿入可能に構成され、前記フック部の基端部が、そのフック部に対する前記帯体の、前記自由端側から前記基端部側に向かう方向の相対移動を規制するように、前記第１貫通孔の周縁に係合可能となり、
前記フック部の自由端側には、そのフック部に対する前記帯体の、前記基端部側から前記自由端側に向かう方向の相対移動を規制するように、前記第１貫通孔とは別の貫通孔である第２貫通孔に入り込んでその第２貫通孔の周縁に係合可能な、または、前記帯体の端部に係合可能な、突状係合部が設けられている、配線・配管材用吊り具の帯体の止め具。
【発明の詳細な説明】
【技術分野】
【０００１】
この発明は、配線・配管材を吊り下げるための吊り具、およびその吊り具の帯体の止め具に関するものである。
【背景技術】
【０００２】
従来、配線・配管材等の被保持物を吊り下げるようにして保持する保持材となる吊り具があった（例えば、特許文献１参照）。図１４に示すように、この吊り具５０は、鋼板等によって形成された湾曲可能な帯体からなっていた。この吊り具５０は、上端部分が、横木５１の側部５１ａに、釘５２により固定され、下部側が、ループＬを形成するように曲げ返されることで、そのループＬの内側に被保持物５３が保持された。ここにおいて、吊り具５０は、貫通部５０ａが穿設された掛止部５０ｂと、その掛止部５０ｂに掛け止められる被掛止部５０ｃとを、交互に繰り返すようにして形成されていた。そして、掛止部５０ｂにおける貫通部５０ａは、幅広貫通部５０ｄと、その幅広貫通部５０ｄに連通する幅狭貫通部５０ｅとを備えていた。また、被掛止部５０ｃは、幅広部５０ｆと、その幅広部５０ｆに連設される幅狭部５０ｇとを備えていた。そこで、被掛止部５０ｃを掛止部５０ｂの幅広貫通部５０ｄに挿通し、次いで、被掛止部５０ｃを掛止部５０ｂの面に沿う下に移動することで、被掛止部５０ｃの幅狭部５０ｇを掛止部５０ｂの幅狭貫通部５０ｅ内に進入させると、被掛止部５０ｃの幅広部５０ｆが、掛止部５０ｂに掛け止められた。
【先行技術文献】
【特許文献】
【０００３】
【特許文献１】特開２０００−３９０８６号公報
【発明の概要】
【発明が解決しようとする課題】
【０００４】
ところで、前記従来の吊り具５０にあっては、帯体のみからなるものの、その帯体は、掛止部５０ｂと被掛止部５０ｃとを交互に繰り返したり、被掛止部５０ｃに、幅広部５０ｆと幅狭部５０ｇとを設ける必要があったりして、その形状が、複雑となっていた。また、掛止部５０ｂに、幅広貫通部５０ｄを設ける必要があったり、被掛止部５０ｃに、幅狭部５０ｇを設ける必要があることから、この吊り具５０の強度は、その幅の割には制限されていた。
【０００５】
この発明は、上記した従来の欠点を解決するためになされたものであり、その目的とするところは、帯体の形状を簡単にすることができ、かつ、帯体の強度を保って配線・配管材を安定して吊り下げることができる、配線・配管材用吊り具、および配線・配管材用吊り具の帯体の止め具を提供することにある。
【課題を解決するための手段】
【０００６】
この発明に係る配線・配管材用吊り具、および配線・配管材用吊り具の帯体の止め具は、前記目的を達成するために、次の構成からなる。すなわち、
請求項１に記載の発明に係る配線・配管材用吊り具は、配線・配管材を吊り下げるための吊り具であって、長手方向に並ぶ複数の貫通孔を有して、前記配線・配管材を抱えるようにして吊り下げる帯体と、前記帯体の、前記配線・配管材に回されて上方に延びる各側を、互いに止める止め具とを、備える。ここで、前記止め具は、前記帯体の一方の側が止められる第１止め部と、前記帯体の他方の側が止められる第２止め部とを備える。そして、前記第１止め部と前記第２止め部との少なくとも一方は、前記帯体が掛け止められるフック部からなる。このフック部は、前記帯体の長手方向に延びて、その自由端から前記複数の貫通孔のいずれかの貫通孔である第１貫通孔に挿入可能に構成される。そして、前記フック部の基端部が、そのフック部に対する前記帯体の、前記自由端側から前記基端部側に向かう方向の相対移動を規制するように、前記第１貫通孔の周縁に係合可能となる。また、前記フック部の自由端側には、そのフック部に対する前記帯体の、前記基端部側から前記自由端側に向かう方向の相対移動を規制するように、前記第１貫通孔とは別の貫通孔である第２貫通孔に入り込んでその第２貫通孔の周縁に係合する、または、前記帯体の端部に係合する、突状係合部が設けられている。
【０００７】
この配線・配管材用吊り具によると、帯体は、長手方向に並ぶ複数の貫通孔を有している。そして、止め具は、配線・配管材に回されて上方に延びる一方の側が止められる第１止め部と、他方の側が止められる第２止め部とを備える。ここにおいて、第１および第２止め部の少なくとも一方は、自由端側に突状係合部が設けられたフック部からなる。そこで、フック部を、帯体の第１貫通孔に挿入すると、そのフック部の基端部が、第１貫通孔の周縁に係合することで、帯体は、フック部の自由端側から基端部側に向かう方向の相対移動が規制される。そして、フック部の自由端側の突状係合部が、第２貫通孔の周縁（または、帯体の端部）に係合することで、帯体は、フック部の基端部側から自由端側に向かう方向の相対移動が規制される。このように、この吊り具によると、帯体には、止め具におけるフック部が挿入される第１貫通孔とか、フック部の自由端側の突状係合部が係合する第２貫通孔を設ければよく、その帯体の形状を簡単にすることができ、また、それによって、帯体の強度を保って配線・配管材を安定して吊り下げることができる。
【０００８】
また、請求項２に記載の発明に係る配線・配管材用吊り具は、請求項１に記載の配線・配管材用吊り具において、前記止め具は、前記第１止め部と第２止め部とが設けられるベース部を備える。そして、前記突状係合部は、前記フック部から前記ベース部側に突出する。
【０００９】
また、請求項３に記載の発明に係る配線・配管材用吊り具は、請求項２に記載の配線・配管材用吊り具において、前記第１止め部と前記第２止め部とが、それぞれ、前記フック部からなり、それらフック部は、前記ベース部を挟むように設けられる。
【００１０】
また、請求項４に記載の発明に係る配線・配管材用吊り具は、請求項３に記載の配線・配管材用吊り具において、二つの前記フック部は、その自由端が同一方向を向くように設けられる。これにより、止め具を、フック部の自由端側が上となり基端部側が下となる向きで配置すると、止め具の下で、帯体が配線・配管材によって広がろうとするのを、両フック部の基端部側で受け止めることができ、自由端側が開くのを抑えることができる。
【００１１】
また、請求項５に記載の発明に係る配線・配管材用吊り具は、請求項２に記載の配線・配管材用吊り具において、前記第１止め部と前記第２止め部は、共通する一つの前記フック部からなり、前記帯体の一方の側と他方の側とは、重ねられて、共通する一つの前記フック部に掛け止められる。
【００１２】
また、請求項６に記載の発明に係る配線・配管材用吊り具は、請求項２ないし５のいずれか１項に記載の配線・配管材用吊り具において、前記ベース部には、前記フック部における基端部と前記突状係合部との間の位置に対向して、前記帯体を前記ベース部から離して前記突状係合部側へと押しやる突部が設けられる。こうして、帯体を突状係合部側へと押しやる突部を設けることで、突状係合部を、第２貫通孔または帯体の端部に確実に係合させることができる。
【００１３】
また、請求項７に記載の発明に係る配線・配管材用吊り具は、請求項１ないし６のいずれか１項に記載の配線・配管材用吊り具において、前記フック部の基端部には、前記第１貫通孔における、前記帯体の幅方向側の両縁部に掛かる、掛り段部が設けられる。
【００１４】
また、請求項８に記載の発明に係る配線・配管材用吊り具の帯体の止め具は、長手方向に並ぶ複数の貫通孔を有して、前記配線・配管材を抱えるようにして吊り下げる帯体の、前記配線・配管材に回されて上方に延びる各側を、互いに止める、配線・配管材を吊り下げるための吊り具の帯体の止め具である。この止め具は、前記帯体の一方の側が止められる第１止め部と、前記帯体の他方の側が止められる第２止め部とを備える。そして、前記第１止め部と前記第２止め部との少なくとも一方は、前記帯体が掛け止められるフック部からなる。このフック部は、前記帯体の長手方向に延びて、その自由端から前記複数の貫通孔のいずれかの貫通孔である第１貫通孔に挿入可能に構成される。そして、前記フック部の基端部が、そのフック部に対する前記帯体の、前記自由端側から前記基端部側に向かう方向の相対移動を規制するように、前記第１貫通孔の周縁に係合可能となる。また、前記フック部の自由端側には、そのフック部に対する前記帯体の、前記基端部側から前記自由端側に向かう方向の相対移動を規制するように、前記第１貫通孔とは別の貫通孔である第２貫通孔に入り込んでその第２貫通孔の周縁に係合する、または、前記帯体の端部に係合する、突状係合部が設けられている。
【００１５】
この止め具によると、止め具は、配線・配管材に回されて上方に延びる一方の側が止められる第１止め部と、他方の側が止められる第２止め部とを備える。ここにおいて、第１および第２止め部の少なくとも一方は、自由端側に突状係合部が設けられたフック部からなる。そこで、フック部を、帯体の第１貫通孔に挿入すると、そのフック部の基端部が、第１貫通孔の周縁に係合することで、帯体は、フック部の自由端側から基端部側に向かう方向の相対移動が規制される。そして、フック部の自由端側の突状係合部が、第２貫通孔の周縁（または、帯体の端部）に係合することで、帯体は、フック部の基端部側から自由端側に向かう方向の相対移動が規制される。このように、帯体には、止め具におけるフック部が挿入される第１貫通孔とか、フック部の自由端側の突状係合部が係合する第２貫通孔を設ければよく、その帯体の形状を簡単にすることができ、また、それによって、帯体の強度を保って配線・配管材を安定して吊り下げることができる。
【発明の効果】
【００１６】
この発明に係る配線・配管材用吊り具および止め具によれば、帯体には、止め具におけるフック部が挿入される第１貫通孔とか、フック部の自由端側の突状係合部が係合する第２貫通孔を設ければよく、その帯体の形状を簡単にすることができ、また、それによって、帯体の強度を保って配線・配管材を安定して吊り下げることができる。
【図面の簡単な説明】
【００１７】
【図１】この発明の一実施の形態の、全体を示す正面図である。
【図２】同じく、図１における止め具部分の斜視図である。
【図３】同じく、図１における止め具部分の拡大断面図である。
【図４】同じく、図１における帯体固定具部分の拡大断面図である。
【図５】同じく、止め具の斜視図である。
【図６】同じく、止め具の正面図である。
【図７】同じく、帯体固定具の斜視図である。
【図８】この発明の他の実施の形態の、図３相当図である。
【図９】同じく、止め具の斜視図である。
【図１０】同じく、止め具の正面図である。
【図１１】この発明のさらに他の実施の形態の、要部を示す正面図である。
【図１２】同じく、止め具の斜視図である。
【図１３】同じく、止め具の正面図である。
【図１４】従来の、吊り具を用いた吊下げ構造を示す斜視図である。
【発明を実施するための形態】
【００１８】
以下、この発明に係る配線・配管材用吊り具、および配線・配管材用吊り具の帯体の止め具を実施するための形態を図面に基づいて説明する。
【００１９】
図１〜図７は、本発明の一実施の形態を示す。図中符号２は、配線・配管材（配線材または配管材）を示す。３は、帯体を示し、帯体３は、長手方向に並ぶ複数の貫通孔３ａ、３ａを有して、前記配線・配管材２を抱えるようにして吊り下げるものである。２０は、止め具を示し、この止め具２０は、前記帯体３の、配線・配管材２（図示実施の形態においては、配管材であって、例えば空調ダクト等のダクト）に回されて上方に延びる各側を、互いに止めるものである。３０は、前記配線・配管材２を吊り下げるための吊り具（配線・配管材用吊り具）を示し、この吊り具３０は、前記帯体３と前記止め具２０とを備える。
【００２０】
ここで、止め具２０は、帯体３の一方の側が止められる第１止め部２１と、帯体３の他方の側が止められる第２止め部２２とを備える。そして、第１止め部２１と第２止め部２２との少なくとも一方は、帯体３が掛け止められるフック部Ｘからなる。
【００２１】
このフック部Ｘは、帯体３の長手方向に延びて、その自由端Ｘ２から帯体３における複数の貫通孔３ａ、３ａのいずれかの貫通孔３ａである第１貫通孔３０１に挿入可能に構成され、フック部Ｘの基端部Ｘ１が、そのフック部Ｘに対する帯体３の、フック部Ｘにおける自由端Ｘ２側から基端部Ｘ１側に向かう方向の相対移動を規制するように、第１貫通孔３０１の周縁に係合可能となっている。そして、フック部Ｘの自由端Ｘ２側には、そのフック部Ｘに対する帯体３の、フック部Ｘにおける基端部Ｘ１側から自由端Ｘ２側に向かう方向の相対移動を規制するように、第１貫通孔３０１とは別の貫通孔３ａである第２貫通孔３０２に入り込んでその第２貫通孔３０２の周縁に係合可能な、または、帯体３の端部に係合可能な、突状係合部Ｘ３が設けられている。つまり、突状係合部Ｘ３は、図示実施の形態においては、第２貫通孔３０２の周縁に係合するが、その他に、帯体３の先端側を短くすることで、突状係合部Ｘ３が帯体３の端部に係合するようにすることもできる。
【００２２】
また、止め具２０は、第１止め部２１と第２止め部２２とが設けられるベース部２３を備えている。そこで、前記突状係合部Ｘ３は、フック部Ｘからベース部２３側に突出する。図示実施の形態においては、第１止め部２１と第２止め部２２とが、それぞれ、フック部Ｘからなり、それらフック部Ｘ、Ｘは、ベース部２３を挟むように設けられる。そして、これら二つのフック部Ｘ、Ｘは、その自由端Ｘ２、Ｘ２側が同一方向を向くように設けられている。
【００２３】
具体的には、帯体３は、例えば合成樹脂製であって、一定幅で連続して形成されている。そして、前記貫通孔３ａ、３ａは、帯体３の長手方向の側に若干長孔となるように形成され、帯体３の幅中央に位置している。また、帯体３は、これら貫通孔３ａ、３ａに加えて、各貫通孔３ａ、３ａ間に、径小となる円形形状をした他の貫通孔３ｂを有している（図２参照）。
【００２４】
止め具２０は、例えば合成樹脂製であって、ベース部２３が板状であって、細長に形成されている。そして、フック部Ｘ（止め部２１、２２）は、ベース部２３を挟んで対向位置するように、そのベース部２３の表裏に設けられている。詳細には、フック部Ｘは、ベース部２３の表裏の各側において、長手方向の一方側から突出し、さらに、ベース部２３の板面に沿うようにて、長手方向の他方側に向かって延びている。そこで、このフック部Ｘの基端部Ｘ１には、帯体３の第１貫通孔３０１における、帯体３の幅方向側の両縁部に掛かる、掛り段部Ｘ４、Ｘ４が設けられている。つまり、フック部Ｘの基端部Ｘ１には、第１貫通孔３０１に嵌まる側に対して抜け出る側が幅広となることで、前記掛り段部Ｘ４、Ｘ４が形成される。
【００２５】
また、このフック部Ｘに設けられる前記突状係合部Ｘ３は、ベース部２３側であって自由端Ｘ２から基端部Ｘ１側に折り返すように傾斜して、突出形成されている。これにより、帯体３（詳しくは、第２貫通孔３０２の周縁）が、この突状係合部Ｘ３に掛かり易くなる。そして、このフック部Ｘの自由端Ｘ２には、突状係合部Ｘ３とは反対側であって基端部Ｘ１から離れる側に傾斜して、指掛部Ｘ５が突出形成されている。この指掛部Ｘ５は、突状係合部Ｘ３を第２貫通孔３０２から離脱させるための操作部となっており、この指掛部Ｘ５に指を掛けて反ベース部２３側に引くことで、第２貫通孔３０２から突状係合部Ｘ３を離脱させることができる。そして、フック部Ｘの自由端Ｘ２の端面は、突状係合部Ｘ３および指掛部Ｘ５を含めて、ベース部２３側ほど基端部Ｘ１側に進むように傾斜することで、フック部Ｘを第１貫通孔３０１に通すようにして、帯体３をフック部Ｘとベース部２３との間に受け入れる、案内部として機能する。すなわち、フック部Ｘの自由端Ｘ２の傾斜する端面からなる案内部に第１貫通孔３０１を宛がえば、帯体３を下げるのみでフック部Ｘに帯体３を掛けることができる。また、帯体３をフック部Ｘに宛がって押し下げれば、案内部に第１貫通孔３０１が引っ掛かり、続いて帯体３を下げることで、フック部Ｘに帯体３を掛けられるため、手探りでもこの作業を行うことができる。
【００２６】
また、ベース部２３には、フック部Ｘにおける基端部Ｘ１と突状係合部Ｘ３との間の位置に対向して、帯体３をベース部２３から離して突状係合部Ｘ３側へと押しやる突部２３ａが設けられている。詳細には、この突部２３ａは、突状係合部Ｘ３寄りの位置に設けられ、突状係合部Ｘ３側および基端部Ｘ１側が、なだらかな斜面となるように形成されている。また、ベース部２３は、その両側に、弧状に窪むへこみ２３ｂ、２３ｂが形成されている。
【００２７】
ところで、帯体３は、その上方側において、帯体固定具４を用いて、天井面１から垂れ下がるように固定される。この帯体固定具４は、例えば、合成樹脂製であって、帯体固定具４自身を天井面１に固定するために、その天井面１に固着されるビスとか釘等の固着具６が貫通する固定部７を備える。そして、帯体固定具４は、帯体３の一端側が天井面１に沿って配置されるようにその帯体３の一端側が載置される載置部８と、その載置部８の上面に続いて天井面１から離れる側（つまり、下側）に湾曲して帯体３を垂れ下がる側に案内する支持面９ａを有する支持部９とを、備える。さらに、帯体固定具４は、帯体固定具４自身が天井面１に固定された固定状態で、帯体３の長手方向の移動を規制すべく、帯体３の複数の貫通孔３ａ、３ａのうちのいずれかの貫通孔３ａに入り込んでその貫通孔３ａの周縁に係合する係合部１０を備える。
【００２８】
詳細には、前記固定部７は、固着具６が帯体３の複数の貫通孔３ａ、３ａのいずれかの貫通孔３ａを貫通するよう、その貫通孔３ａに対応した位置に設けられる。図示実施の形態においては、固定部７は、前記係合部１０を有し、固着具６は、係合部１０を含めて固定部７を貫通するとともに、係合部１０が入り込む貫通孔３ａを貫通するようになっている。そして、この係合部１０を有する固定部７は、載置部８の中央に設けられ、その固定部７には、固着具６が貫通する孔７ａがあけられている。
【００２９】
また、帯体固定具４は、帯体３を仮保持するように、帯体固定具４自身が天井面１に固定された固定状態となる前において、帯体３の複数の貫通孔３ａ、３ａにおけるいずれかの貫通孔３ａに入り込み、帯体３の、垂れ下がる側への移動を規制する、第１規制部１１を備える。この第１規制部１１は、帯体３の貫通孔３ａを抜けて帯体３の上面を抑えるように、鉤状（Ｌ字状）に前方に折れ曲がって形成されている（図４、図７参照）。そして、帯体固定具４は、第１規制部１１に加えて、第２規制部１２を備えている。この第２規制部１２は、帯体３を仮保持するように、前記固定状態となる前において、帯体３の複数の貫通孔３ａ、３ａにおける第１規制部１１が入り込む貫通孔３ａまたはその貫通孔３ａとは異なる貫通孔３ａに入り込んで、帯体３の、垂れ下がる側とは反対側への移動を規制する。図示実施の形態においては、帯体固定具４は、前記載置部８を挟んで支持部９とは反対側（つまり、帯体３の垂れ下がる側とは反対側）に延出する延出部１３を備えており、この延出部１３に、第１規制部１１と第２規制部１２とが、帯体３の複数の貫通孔３ａ、３ａにおける同一の貫通孔３ａに入り込むように設けられている。そして、載置部８、支持部９および延出部１３の下面には、補強のためのリブ４ａが設けられる。
【００３０】
また、帯体固定具４は、帯体３の幅方向の両側を保持する保持片１４、１４を備えている。図示実施の形態においては、これら保持片１４、１４は、前記支持部９に設けられる。詳細には、保持片１４、１４は、帯体３をその幅方向で挟むように、支持部９の幅の各側においてその上面から突出して形成され、さらに、帯体３の上面を抑えるように、鉤状（Ｌ字状）に内側に折れ曲がって形成されている（図４、図７参照）。
【００３１】
次に、以上の構成からなる吊り具３０の作用効果について説明する。この吊り具３０によると、帯体３は、長手方向に並ぶ複数の貫通孔３ａ、３ａを有している。そして、止め具２０は、配線・配管材２に回されて上方に延びる一方の側が止められる第１止め部２１と、他方の側が止められる第２止め部２２とを備える。ここにおいて、第１および第２止め部２１、２２の少なくとも一方（図示実施の形態においては、両方）は、自由端Ｘ２側に突状係合部Ｘ３が設けられたフックＸ部からなる。そこで、フック部Ｘを、帯体３の第１貫通孔３０１に挿入すると、そのフック部Ｘの基端部Ｘ１（詳しくは、基端部Ｘ１における自由端Ｘ２側の面）が、第１貫通孔３０１の周縁に係合することで、帯体３は、フック部Ｘの自由端Ｘ２側から基端部Ｘ１側に向かう方向の相対移動が規制される。そして、フック部Ｘの自由端Ｘ２側に設けられた突状係合部Ｘ３が、第２貫通孔３０２の周縁（または、帯体３の端部）に係合することで、帯体３は、フック部Ｘの基端部Ｘ１側から自由端Ｘ２側に向かう方向の相対移動が規制される。このように、この吊り具３０によると、帯体３には、止め具２０におけるフック部Ｘが挿入される第１貫通孔３０１とか、フック部Ｘの自由端Ｘ２側の突状係合部Ｘ３が係合する第２貫通孔３０２を設ければよく、その帯体３の形状を簡単にすることができ、また、それによって、帯体３の強度を保って配線・配管材２を安定して吊り下げることができる。
【００３２】
また、帯体３は、フック部Ｘの突状係合部Ｘ３によって基端部Ｘ１側から自由端Ｘ２側に向かう方向の相対移動が規制されている。このため、配線・配管材２が踊って上下に揺れた場合であっても、突状係合部Ｘ３により、帯体３がフック部Ｘの自由端Ｘ２から抜け出るのを防ぐことができる。
【００３３】
また、図示実施の形態においては、相対的に、帯体３が、フック部Ｘの基端部Ｘ１側から自由端Ｘ２側に向かう方向に移動しようとすることに対し、突状係合部Ｘ３か帯体３の第２貫通孔３０２の周縁（または、帯体３の端部）に係合するだけでなく、基端部Ｘ１（詳しくは、基端部Ｘ１における自由端Ｘ２とは反対側の面）が帯体３の第１貫通孔３０１の周縁に係合する。このため、この方向の、止め具２０に対する帯体３の相対移動を的確に規制することができる。
【００３４】
また、フック部Ｘの基端部Ｘ１には、前記第１貫通孔３０１における、前記帯体３の幅方向側の両縁部に掛かる、掛り段部Ｘ４が設けられており、これによって、第１貫通孔３０１に嵌まった基端部Ｘ１を、その第１貫通孔３０１から抜け出し難くすることができる。しかも、配線・配管材２の自重により帯体３がその長手方向に引っ張られると、第１貫通孔３０１が引き延ばされて僅かに細るため、この第１貫通孔３０１への掛り段部Ｘ４の掛かりが確実となる。
【００３５】
また、止め具２０におけるベース部２３には、帯体３を突状係合部Ｘ３側へと押しやる突部２３ａが設けられており、これによって、突状係合部Ｘ３を、第２貫通孔３０２または帯体３の端部に確実に係合させることができる。
【００３６】
また、止め具２０の二つのフック部Ｘ、Ｘは、その自由端Ｘ２が同一方向を向くように設けられている。そこで、図１〜図３に示すように、止め具２０を、フック部Ｘの自由端Ｘ２側が上となり基端部Ｘ１側が下となる向きで配置すると、止め具２０の下で、帯体３が配線・配管材２によって広がろうとするのを、両フック部Ｘ、Ｘの基端部Ｘ１、Ｘ１側で受け止めることができ、フック部Ｘ、Ｘの自由端Ｘ２、Ｘ２側が開くのを抑えることができる。
【００３７】
また、止め具２０は、先に帯体３の一方側に取り付けておくことができ、その後に、配線・配管材２に回した帯体３の他方側を、止め具２０のフック部Ｘに掛けることで、簡単に配線・配管材２を吊り下げることができる。
【００３８】
また、フック部Ｘは、帯体３の第１貫通孔３０１と第２貫通孔３０２（または、帯体３の端部）に係合することで、帯体３は、止め具２０に対して回り止めされる。
【００３９】
なお、本発明は、上述した実施の形態に限定されるわけではなく、その他種々の変更が可能である。例えば、止め具２０における二つのフック部Ｘ、Ｘは、その自由端Ｘ２、Ｘ２側が同一方向を向くように設けられなくとも、互いに逆方向を向くように設けられてもよい。
【００４０】
また、止め具２０において、第１止め部２１と第２止め部２２とのいずれもがフック部Ｘからならなくとも、図８〜図１０に示すように、第１止め部２１と第２止め部２２のうちの一方のみ、例えば第２止め部２２のみがフック部Ｘからなっていてもよい。この図においては、第１止め部２１と第２止め部２２のうちの他方となる例えば第１止め部２１は、別々の貫通孔３ａ、３ａの周縁に掛けられる、掛止め片Ｙ、Ｙを備える。これら掛止め片Ｙ、Ｙは、帯体３の長手方向に鉤状（Ｌ字状）に折れ曲がって形成される。さらに、第１止め部２１は、一方の掛け止片Ｙが掛かる貫通孔３ａにおけるその掛かる側とは反対側の端縁と当接する当接部Ｙ１を備えている。そこで、これら掛け止片Ｙ、Ｙと当接部Ｙ１とにより、相対的に帯体３が止め具２０に対して長手方向のどちらの方向に移動することも規制される。また、この当接部Ｙ１がある側の掛け止片Ｙには、指掛部Ｙ２が突出形成されており、この指掛部Ｙ２を第２止め部２２側に押すことで、当接部Ｙ１や掛け止片Ｙを貫通孔３ａから容易に外すことができる。
【００４１】
また、帯体３を、天井面１等の被固定部に固定するにあたって、帯体固定具４を用いなくとも、例えば、帯体３の他の貫通孔３ｂを通るビスとか釘等の固着具により、直接被固定部に固定してもよい。
【００４２】
また、図１１〜図１３に示すように、止め具２０において、第１止め部２１と第２止め部２２は、共通する一つのフック部Ｘからなり、帯体３の配線・配管材２に回されて上方に延びる一方の側と他方の側とは、重ねられて、その共通する一つのフック部Ｘに掛け止められてもよい。この例では、止め具２０は、ベース部２３におけるフック部Ｘのある側とは反対側に、この止め具２０を吊ボルト等の棒材２４に取り付けるための、棒材２４を抱持する抱持片２５を備えている。この抱持片２５は、上下に並ぶように一対設けられ、これら抱持片２５、２５は、互いに、逆側から棒材２４を抱えるよう逆回りに湾曲形成されている。なお、図１１においては、帯体３の両方の側が、突状係合部Ｘ３と係合しているが、帯体３における外側となる側のみが突状係合部Ｘ３と係合してもよい。
【００４３】
また、帯体３は、合成樹脂製でなくとも、鋼板等の金属板からなっていてもよい。
【符号の説明】
【００４４】
２  配線・配管材
３  帯体
３ａ  貫通孔
３０１  第１貫通孔
３０２  第２貫通孔
２０  止め具
２１  第１止め部
２２  第２止め部
２３  ベース部
２３ａ  突部
３０  吊り具（配線・配管材用吊り具）
Ｘ  フック部
Ｘ１  基端部
Ｘ２  自由端
Ｘ３  突状係合部
Ｘ４  掛り段部
【図１】
0005719253.tif 000002
【図２】
0005719253.tif 000003
【図３】
0005719253.tif 000004
【図４】
0005719253.tif 000005
【図５】
0005719253.tif 000006
【図６】
0005719253.tif 000007
【図７】
0005719253.tif 000008
【図８】
0005719253.tif 000009
【図９】
0005719253.tif 000010
【図１０】
0005719253.tif 000011
【図１１】
0005719253.tif 000012
【図１２】
0005719253.tif 000013
【図１３】
0005719253.tif 000014
【図１４】
0005719253.tif 000015